(57)【要約】【課題】デイモードからナイトモードにしてもフォーカスがぼけないようにする撮影装置を提供する。【解決手段】撮像装置は、撮影光学系１、ピント位置を調整するフォーカス手段１、１４、被写体像を電気信号に変換する撮像素子３、画像の輝度値算出部１１、フィルタ手段２、挿抜手段１３、フォーカス手段と挿抜手段を制御する制御手段１２を有する。フィルタ手段は、撮影光学系から所定範囲の波長の光を撮像素子に通さないようにする。挿抜手段は、光路に対してフィルタ手段を出し入れする。制御手段は、光路にフィルタ手段を入れた状態での輝度値算出部からの輝度出力結果とフィルタ手段の抜けた状態での輝度値算出部からの輝度出力結果を比較し、この輝度差から、所定範囲の波長の光成分に対応したピント位置調整の補正を行うか否かを判定する。【選択図】図１
2014225828.tif 000002
【特許請求の範囲】
【請求項１】
撮影光学系と、
前記撮影光学系のピント位置を調整するためのフォーカス手段と、
前記撮影光学系により結像した被写体像を電気信号に変換する撮像素子と、
前記撮像素子の電気信号から画像の輝度を取得する輝度値算出部と、
前記撮影光学系から所定範囲の波長の光成分を前記撮像素子に通さないようにするフィルタ手段と、
前記撮影光学系の光路に対して前記フィルタ手段を出し入れするための挿抜手段と、
前記フォーカス手段及び前記挿抜手段を制御するための制御手段と、
を有し、
前記制御手段は、前記撮影光学系の光路に対して前記フィルタ手段を入れた状態における前記輝度値算出部の出力結果を第１の輝度出力結果として記憶し、前記第１の輝度出力結果と前記フィルタ手段の抜けた状態における前記輝度値算出部からの第２の輝度出力結果とを比較し、前記第１の輝度出力結果と前記第２の輝度出力結果との輝度差から、前記所定範囲の波長の光成分に対応したピント位置調整の補正を行うか否かを判定する機能を有することを特徴とする撮影装置。
【請求項２】
前記フィルタ手段は赤外光除去フィルタであり、
前記制御手段は、前記第１の輝度出力結果と前記第２の輝度出力結果との輝度差から、近赤外以上の波長成分に対応したピント位置の調整の補正を行うか否かを判定する機能を有することを特徴とする請求項１に記載の撮影装置。
【請求項３】
前記制御手段は、前記第１の輝度出力結果に比べて、前記第２の輝度出力結果が同じか、下回る場合は、前記所定範囲の波長の光成分または近赤外以上の波長成分に対応したピント位置調整の補正を行わず、前記第２の輝度出力結果のほうが大きい場合は、前記所定範囲の波長の光成分または近赤外以上の波長成分に対応したピント位置調整の補正を行うことを特徴とする請求項１または２に記載の撮像装置。
【請求項４】
前記制御手段は、前記第１の輝度出力結果に比べて、前記第２の輝度出力結果との差分が所定値以下である場合は、前記所定範囲の波長の光成分または近赤外以上の波長成分に対応したピント位置調整の補正を行わず、前記第２の輝度出力結果のほうが前記第１の輝度出力結果より所定値以上大きい場合は、前記所定範囲の波長の光成分または近赤外以上の波長成分に対応したピント位置調整の補正を行うことを特徴とする請求項１または２に記載の撮像装置。
【請求項５】
前記制御手段は、前記第１の輝度出力結果に比べて、前記第２の輝度出力結果が同じか下回る場合は補正駆動を行わず、前記第１の輝度出力結果と前記第２の輝度出力結果との差分を所定の輝度しきい値と比較し、比較の差に応じて、前記所定範囲の波長の光成分または近赤外以上の波長成分に対応したピント位置調整の補正を行うことを特徴とする請求項１または２に記載の撮像装置。
【請求項６】
前記制御手段は、前記第１の輝度出力結果に比べて、前記第２の輝度出力結果が同じか下回るか所定の第１の輝度しきい値以下だけ大きい場合は補正駆動を行わないか第１の補正量だけピント位置調整の補正を行い、前記第１の輝度出力結果と前記第２の輝度出力結果との差分を所定の第２の輝度しきい値と比較し、前記差分が前記所定の第１の輝度しきい値より大きいが所定の第２の輝度しきい値以下である場合は、第２の補正量だけピント位置調整の補正を行い、前記差分が前記所定の第２の輝度しきい値より大きい場合は、前記第２の補正量よりも多い第３の補正量だけピント位置調整の補正を行うことを特徴とする請求項１または２に記載の撮像装置。
【請求項７】
前記制御手段は、ピント位置調整がマニュアルフォーカスモードになっている場合に、前記ピント位置調整の補正を行うことを特徴とする請求項１から６の何れか１項に記載の撮像装置。
【請求項８】
前記フィルタ手段または赤外光除去フィルタが抜けた場合に、光路長補償用のダミーガラスが前記光路に入ることを特徴とする請求項１から７の何れか１項に記載の撮影装置。
【請求項９】
前記制御手段は、前記フィルタ手段または赤外光除去フィルタが抜けた場合に所定の光路長の補正を行う光路長補正機能を有しており、
前記所定範囲の波長の光成分または近赤外以上の波長成分に対応したピント位置調整の補正が必要ないと判定した場合は、前記所定の光路長の補正のみを行い、前記所定範囲の波長の光成分または近赤外以上の波長成分に対応したピント位置調整の補正が必要と判定した場合は、前記所定の光路長の補正の分と前記対応したピント位置調整の補正の分を加えた量を、前記フォーカス手段によるピント位置調整の補正として行うことを特徴とする請求項１から７の何れか１項に記載の撮影装置。
【発明の詳細な説明】
【技術分野】
【０００１】
本発明は、撮像装置に関する。特には、赤外光除去フィルタ(以下、ＩＲＣＦと称す)などのフィルタ手段の挿抜を行い撮影を行う赤外／可視共用カメラ等の撮像装置に関するものである。
【背景技術】
【０００２】
人間の色に対する感度特性である色覚特性および明るさに対する感度特性である比視感度特性は、その感度が可視域といわれる３８０ｎｍから７８０ｎｍまでの感度特性であり、７００ｎｍより長波長域では殆ど感度を有さない。そこで、撮像装置の色再現性を人間の色覚特性に合わせるために、撮像素子の前に、近赤外領域の光線を通過させない視感度補正用のＩＲＣＦを設ける場合がある。しかし、被写体輝度が低下する低照度下においては、しばしばＩＲＣＦを光路から取り除くことで、近赤外領域の光線を通過させて、感度を上昇させる。ただし、近赤外領域の光線を通過させると、色バランスが崩れるため、カラー画像（デイモード）から白黒画像（ナイトモード）に撮影モードの切換えを行うことがある。切換え方法として、オートデイナイト（以下、ＡＤＮと称す）と呼ばれる、自動でデイモード、ナイトモードの切換えを行う機能もある。カラー画像から白黒画像に切換える被写体輝度閾値は、例えばカメラのシャッタスピード、絞り値、ＡＧＣ（自動利得調整）、画面輝度などを基に決定される。
【０００３】
特許文献１では、映像信号の輝度レベルをもとに被写体の明るさを判定し、その判定結果に応じて、赤外カットフィルタの挿抜を行い、モードを切換える切換え方法が開示されている。また、特許文献２では、ＩＲＣＦの挿抜に伴う光路長分をフォーカス駆動することで補償し、ピント位置を保つことが開示されている。
【先行技術文献】
【特許文献】
【０００４】
【特許文献１】特開２００２−０１６８３８号公報
【特許文献２】特許第０４１９０３４６号
【発明の概要】
【発明が解決しようとする課題】
【０００５】
しかしながら、上述の特許文献１に開示された従来技術では、フォーカスがマニュアルフォーカスモードのときに、デイモードからナイトモードに切り替わった場合に、光源によってはピントがぼけてしまうことがある。特に、近年、画質の向上とともに、赤外照明を用いてＩＲＣＦナイトモードで撮影する需要が高まりつつあり、デイモードでピントが合っていたものが、ナイトモードにするとピントのぼけが明らかになってしまうことがある。これは、光の波長によってレンズのピントの結像位置がずれてしまうためである。そこで、本発明の目的は、デイモードからナイトモードにした場合などに、適切なピント位置を実現する技術を提供することである。
【課題を解決するための手段】
【０００６】
上記目的を達成するために、本発明の撮像装置は、撮影光学系と、前記撮影光学系のピント位置を調整するためのフォーカス手段と、前記撮影光学系により結像した被写体像を電気信号に変換する撮像素子と、前記撮像素子の電気信号から画像の輝度を取得する輝度値算出部と、前記撮影光学系から所定範囲の波長の光を前記撮像素子に通さないようにするフィルタ手段と、前記撮影光学系の光路に対して前記フィルタ手段を出し入れするための挿抜手段と、前記フォーカス手段及び前記挿抜手段を制御するための制御手段と、を有する。そして、前記制御手段は、前記撮影光学系の光路に対して前記フィルタ手段を入れた状態における前記輝度値算出部の出力結果を第１の輝度出力結果として記憶し、前記第１の輝度出力結果と前記フィルタ手段の抜けた状態における前記輝度値算出部からの第２の輝度出力結果とを比較し、前記第１の輝度出力結果と前記第２の輝度出力結果との輝度差から、前記所定範囲の波長の光成分に対応したピント位置調整の補正を行うか否かを判定する機能を有する。
【発明の効果】
【０００７】
本発明によれば、ＩＲＣＦなどのフィルタ手段が入っている状態でピントを合わせていたものが、フィルタ手段を外した時に赤外照明等で撮影を行うような場合でも、良好なピント位置を実現できるようになる。
【図面の簡単な説明】
【０００８】
【図１】本発明の実施例１の構成図。
【図２】実施例１における光の波長とピント位置を示した図。
【図３】実施例１におけるＩＲＣＦ有無での赤外線照明の輝度の変化を示した図。
【図４】実施例１の処理のフローチャート。
【図５】本発明の実施例２の説明図。
【図６】実施例２の処理のフローチャート。
【図７】実施例３の処理のフローチャート。
【発明を実施するための形態】
【０００９】
本発明では、撮影光学系の光路にフィルタ手段を入れた状態での第１の輝度出力結果とフィルタ手段を抜いた状態での第２の輝度出力結果との輝度差から、フィルタ手段で遮られる所定範囲の波長の光成分に対応したピント位置調整の補正を行うか否かを判定する。フィルタ手段は、典型的には、近赤外以上の波長成分を遮る赤外光除去フィルタであるが、その他の波長成分を遮るフィルタ手段を用いることもできる。本発明では、フィルタ手段の種類と照明光の種類の組み合わせに応じて、フィルタ手段を入れた状態での輝度出力結果とフィルタ手段を抜いた状態での輝度出力結果との輝度差から上記ピント位置調整の補正を行うか否かの判定を、どの様に行うかを決める。
【００１０】
以下に、本発明の実施の形態を、添付の図面に基づいて詳細に説明する。
（実施例１）
図１は、本発明による撮像装置であるカメラの実施例１の構成図である。本実施例では、数枚のレンズから構成されレンズ駆動手段１４により駆動可能なフォーカスレンズを含むレンズ群１、ＩＲＣＦ駆動手段１３によりレンズ群１を通る光路に対して挿抜ができるＩＲＣＦ２が設けられている。ＩＲＣＦ２を挿抜する構成においては、抜いたときに光路長が変わるため、抜いたときに図示しないダミーガラスが入り、前記光路長が変わらないようになっている。つまり、フィルタ手段である赤外光除去フィルタが抜けた場合に、光路長補償用のダミーガラスが光路に入る構成になっている。
【００１１】
さらに、次の要素が設けられている。ＣＣＤやＣＭＯＳ等の固体撮像素子３、雑音軽減を行う相関二重サンプリング（Correllated-Double-Sampling：ＣＤＳ）回路４、カメラの利得制御を自動で行うゲインコントロールアンプ回路（Automatic-Gain-Control：ＡＧＣ）５が設けられる。また、アナログ信号をデジタル信号へと変換を行うＡ／Ｄ変換部６、撮影画像信号に所定の処理を施す画像信号処理部７、画像信号処理部７より出力された画像データを外部表示系に出力する画像信号出力部８が設けられる。また、画像を出力系に表示させる画像表示部９、画像を記録させる画像記録部１０、画像データの輝度値の算出を行う輝度値算出部１１が設けられる。さらに、輝度値算出部１１により算出された輝度値によって撮影モードを判定したり、駆動手段１３を介するＩＲＣＦ２の挿抜や駆動手段１４を介するフォーカスレンズを制御したりする制御手段１２が設けられる。
【００１２】
以下に動作について詳しく説明を行う。被写体からの光は、撮影光学系としてのレンズ群１及びＩＲＣＦ２を介して、撮像素子３に結像し、被写体像は電気信号へと変換され出力される。この電気信号に対して、相関二重サンプリング処理等を実施するＣＤＳ回路４、増幅処理等を行うＡＧＣアンプ５、アナログ信号をデジタル信号へと変換するＡ／Ｄ変換６が設けられている。画像処理手段としての画像信号処理部７は、例えば、Digital-Signal-Processing（ＤＳＰ）などから構成される。そして、デジタル信号に対して色変換、ＡＥ処理、ＷＢ処理、信号処理された画像の階調変換を行うガンマ処理などの所定の画像処理を行う。また、画像信号処理部７は、撮影モード切換手段としての撮影モード切換部を有し、画像処理を施した画像データを、カラー画像または白黒画像で画像信号出力部８および輝度値算出部１１へ出力する。画像表示手段としての画像表示部９は、例えばＬＣＤ等から構成され、画像信号出力部８から出力された画像を表示する。
【００１３】
画像記録手段としての画像記録部１０は、例えばハードディスク等の外部記録メモリから構成され、画像信号出力部８から出力された画像を記録する。輝度値算出部１１は、画像信号処理部７から出力された画像データの被写体の明るさを画面の平均値輝度として算出する。例えば、光が無い状態を０、全面白になる場合を２５５と算出する。制御手段１２は、撮影モード判定手段としての撮影モード判定機能実行手段を有し、デイモードからナイトモードに変わる際のデイモードの際の輝度値を保持する機能を有する。そして、ナイトモードに切り替わった際に、改めて輝度値算出部１１から輝度値を読込み、前述したデイモードの際の輝度値と比較する。制御手段１２は、その輝度の差分の量によって、レンズ群１のフォーカスレンズのピント位置を判断するものである。
【００１４】
図２は光の波長と、ピントの合うフォーカス位置の関係を示したものである。この図から分かるように、光の波長によってピントの位置が変わる。特に、近赤外以上の波長成分領域の650nmm以上の波長で、フォーカスの位置がずれていくことが分かる。また、図３は、赤外線照明の分光特性を示したものである。ＩＲＣＦのカット周波数を６５０ｎｍｍとしており、前記ＩＲＣＦが入っている場合は図３（ｂ）のように６５０ｎｍｍ以上の波長の光がない。それに対し、ＩＲＣＦを抜くと、図３（ａ）のよう６５０ｎｍｍ以上の光が入ってくることになる。そのため、赤外照明下でＩＲＣＦが入っている場合と抜けた場合では、輝度値の変化が著しく変わることが分かる。例えば、赤外線を撮像装置に向けて照明していたときの輝度値を参考にする。図３（ｂ）の場合、輝度値がほとんど０であるが、ＩＲＣＦを抜くと大きく反応し、輝度値は例えば１００と著しく上昇する。
【００１５】
本実施例ではこの点に着目し、ＩＲＣＦを入れた状態の輝度と抜いた場合の輝度の差がある場合は、赤外線成分の光の波長が入ってきていると判断し、赤外線の波長に合わせたピント位置に補正をすることを行う。
【００１６】
次に、図４のフローチャートを用いて説明を行う。Ｓ４０１でＩＲＣＦが入っているか否かを判定し、入っていれば、Ｓ４０２でフォーカスがオートかマニュアルモードかを判定する。マニュアルモードであればＳ４０３で輝度値Ｙ１を読み込み、Ｓ４０４でフォーカス位置を読み込み、処理を終了する。このように、制御手段は、ピント位置調整がマニュアルフォーカスモードになっている場合に、撮影光学系の光路に対してフィルタ手段を入れた状態における輝度値算出部の出力結果を記憶し、後述の如くピント位置調整の補正を行う。
【００１７】
Ｓ４０１においてＩＲＣＦが入っていない場合、Ｓ４０５において輝度値Ｙ２を読み込む。次にＳ４０６において輝度値Ｙ１とＹ２の比較を行い、Ｙ１とＹ２が同じかＹ１の方が大きければ、フォーカスの補正を行わず、Ｓ４０９において補正を行わないと判断し、処理を終了する。輝度の変化がないかデイの方が明るかった場合は、赤外線波長の光がＩＲＣＦを抜くことによって増加しておらず、フォーカスのピント位置にも影響が無いと判断出来るためである。次に４０６において、輝度値Ｙ１よりＹ２の方が大きい場合、Ｓ４０７において補正ありと判断し、Ｓ４０８において、所定量のフォーカス駆動を行い処理を終了する。Ｓ４０７では、ＩＲＣＦが抜けた場合の輝度の方が高いことから、近赤外以上の波長成分の波長が増加していることが明らかなため、フォーカスのピント位置が変わると判断出来る。そのため、予め持っている補正量を、ＩＲＣＦが入っている状態で撮影している時のフォーカスの位置に加え、フォーカスレンズを駆動させるものである。以上のように、制御手段は、第１の輝度出力結果に比べて、第２の輝度出力結果が同じか、下回る場合は、近赤外以上の波長成分に対応したピント位置調整の補正を行わない。そして、第２の輝度出力結果のほうが大きい場合は、近赤外以上の波長成分に対応したピント位置調整の補正を行う。
【００１８】
本実施例において、ＩＲＣＦの構成によっては、抜いたときにダミーガラスが入っていないものも考えられる。これについて、上記特許文献２では、ＩＲＣＦの挿抜に伴う光路長分をフォーカス駆動することでピント位置を保つことが開示されている。これに関して、本実施例では、次のようにすることができる。ＩＲＣＦが抜けたときに上記ダミーガラスのない構成の場合は、近赤外以上の波長成分の補正が必要ないときは、光路長の補正のみを行う。そして、近赤外以上の波長成分の補正が必要な場合は、前記光路長の補正に近赤外以上の波長成分の補正量を併せた補正を行う。この場合、制御手段は、フィルタ手段が抜けた場合に所定の光路長の補正を行う光路長補正機能を有している。所定範囲の波長の光成分に対応したピント位置調整の補正が必要と判定した場合は、所定の光路長の補正の分と前記対応したピント位置調整の補正の分を加えた量を、撮影光学系のピント位置を調整するフォーカス手段によるピント位置調整の補正として行う。
【００１９】
（実施例２）
本発明の実施例２について説明する。本実施例では、ＩＲＣＦを抜いた場合にフォーカスを補正する際、補正が必要か否かの判断を行うときに、輝度の増加分を考慮し、これに応じて適切な補正を行うものである。
【００２０】
図５は、白熱灯の分光特性を示したものである。ＩＲＣＦのカット周波数を６５０ｎｍｍとしており、前記ＩＲＣＦが入っている場合は図５（ａ）のように６５０ｎｍｍ以上の波長の光がない。それに対し、ＩＲＣＦを抜くと、図５（ｂ）のよう６５０ｎｍｍ以上の光が入ってくることになる。そのため、白熱灯照明下でＩＲＣＦが入っている場合と抜けた場合では、輝度値が変化することが分かる。例えば、白熱灯下で撮影していたとする。図５（ａ）の場合、輝度値としては４０と示される。それが、ＩＲＣＦを抜くとやや反応し、輝度値は５０と上昇する。
【００２１】
これに関して、白熱灯下は光の波長帯域が広く、また、可視光領域の波長の占める割合も大きい。従って、挿入時に対する抜出時の増加分が所定以下の場合は、可視波長がピントへの寄与度が高いことから、要求ピント精度やレンズの特性によっては、デイモードとナイトモードとの間ではピント補正の必要がない場合がある。本実施例では、ＩＲＣＦを抜いた場合の赤外線成分の上昇が所定量以下の場合は、補正を行わないこととする。
【００２２】
一方で、実施例１で述べたような赤外線照明の場合は、著しい輝度の変化が生じるとともに、波長がデイ（ＩＲＣＦ挿入）の場合と著しく異なるため、ＩＲＣＦ抜出時はフォーカスの補正が必要となる。本実施例はこの点に着目し、ＩＲＣＦを入れた状態の輝度と抜いた場合の輝度の差が所定量以内である場合は、波長帯域の広い白熱灯の照明であると判断し、ピントの補正を行わない。ただし、所定量以上の場合は、実施例１と同様に、明らかに赤外線が照明されていると判断し、赤外線照明の波長に合わせた、例えば、８５０ｎｍｍに合わせたピント位置に補正をする。
【００２３】
図６のフローチャートを使って説明する。Ｓ６０１でＩＲＣＦが入っているか否かを判定し、入っていればＳ６０２でフォーカスがオートかマニュアルモードかどうかを判定する。マニュアルモードであればＳ６０３で輝度値Ｙ１を読み込み、Ｓ６０４でフォーカス位置を読み込み、処理を終了する。Ｓ６０１においてＩＲＣＦが入っていない場合、Ｓ６０５において輝度値Ｙ２を読み込む。次にＳ６０６において輝度値Ｙ１とＹ２の比較を行い、結果が所定値以上大きくなければ、フォーカスの補正を行わず、Ｓ６０９において補正を行わないと判断し、処理を終了する。次に６０６において、輝度値Ｙ１よりＹ２の方が所定以上大きい場合、Ｓ６０７において補正ありと判断し、Ｓ６０８において、所定量のフォーカス駆動を行い、処理を終了する。Ｓ６０７では輝度の変化がＩＲＣＦが抜けた場合の方が高いことから、近赤外以上の波長成分の波長が著しく増加していることが明らかなため、フォーカスのピント位置が変わると判断出来る。そのため、予め持っている補正量を、デイモードの時のフォーカスの位置に対して加え、フォーカスレンズを駆動させるものである。つまり、本実施例では、制御手段は、第１の輝度出力結果に比べて、第２の輝度出力結果との差分が所定値以下である場合は、近赤外以上の波長成分に対応したピント位置調整の補正を行わない。そして、第２の輝度出力結果のほうが第１の輝度出力結果より所定値以上大きい場合は、近赤外以上の波長成分に対応したピント位置調整の補正を行う。
【００２４】
（実施例３）
本発明の実施例３について説明する。本実施例では、ＩＲＣＦを抜いた場合にフォーカス位置を補正する場合に、補正が必要か否かの判断を行う際に、輝度の増加分を考慮し、適切な補正を行う。
【００２５】
実施例２において、白熱灯下は光の波長帯域が広く、また、可視光領域の波長の占める割合も大きい。従って、レンズの特性によっては、デイモードとナイトモードではピント補正を行わない例を説明した。本実施例は、高画質化にともない、僅かなピントのズレ量でもこれを補正してベストな位置を達成しようとする。このために。ＩＲＣＦを抜いたときに赤外線成分の上昇がある場合、より適切な位置へ、補正を行う。具体的には、増加に応じた補正が可能な構成を示す。例えば、増加があまり無ければ蛍光灯などによる照明を想定して補正を行わず、所定量の増加の場合は、例えば白熱灯下を想定した補正量を施し、さらに所定量以上の場合は、赤外線照明下を想定した補正量を施そうとするものである。
【００２６】
図７のフローチャートを使って説明する。Ｓ７０１でＩＲＣＦが入っているか否かを判定し、入っていればＳ７０２でフォーカスがオートかマニュアルモードかを判定する。マニュアルモードであればＳ７０３で輝度値Ｙ１を読み込み、Ｓ７０４でフォーカス位置を読み込み、処理を終了する。Ｓ７０１においてＩＲＣＦが入っていない場合、Ｓ７０５において輝度値Ｙ２を読み込む。次にＳ７０６において輝度値Ｙ１とＹ２の比較を行い、結果が所定値ＴＨ１以上大きくなければ、所定の補正量の補正を行う。ただし、ＴＨ１が０の場合は、フォーカスの補正量１は０となり、補正の必要がない。その場合、Ｓ７０８において補正量０として補正駆動を行わないことと等価となる。
【００２７】
次にＳ７０６において、輝度値Ｙ１よりＹ２の方が所定値ＴＨ１大きい場合、Ｓ７０９においてＹ２とＹ１の差分と所定値ＴＨ２との比較を行う。Ｓ７０９において、差分がＴＨ２よりも小さい場合（つまりＴＨ１より大きくＴＨ２以下）は、Ｓ７１０において、所定のフォーカス補正量２を求める。一方、Ｓ７０９において差分がＴＨ２よりも大きい場合は、Ｓ７１１において所定のフォーカス補正量３を求める。そして、それぞれＳ７０８においてフォーカス駆動を行う。これらはＩＲＣＦが抜けた場合の輝度値が高いことから、近赤外以上の波長成分の波長が増加していることが明らかで、フォーカスのピント位置が変わると判断出来ることを考慮するものである。そのため、輝度差に応じて予め持っているそれぞれの補正量を、ＩＲＣＦが抜けた状態になった場合に求め、フォーカスレンズを補正駆動させるものである。すなわち、制御手段は、第１の輝度出力結果に比べて、第２の輝度出力結果が同じか下回るか所定の第１の輝度しきい値以下だけ大きい場合は補正駆動を行わないか第１の補正量だけピント位置調整の補正を行う。第１の輝度出力結果と前記第２の輝度出力結果との差分を所定の第２の輝度しきい値と比較し、前記差分が前記所定の第１の輝度しきい値より大きいが所定の第２の輝度しきい値以下である場合は、第２の補正量だけピント位置調整の補正を行う。そして、前記差分が前記所定の第２の輝度しきい値より大きい場合は、前記第２の補正量よりも多い第３の補正量だけピント位置調整の補正を行う。本実施例の上記制御方法は次のように捉えることもできる。すなわち、制御手段は、第１の輝度出力結果に比べて、第２の輝度出力結果が同じか下回る場合は補正駆動を行わない。他方、第１の輝度出力結果と第２の輝度出力結果との差分を所定の輝度しきい値と比較し、比較の差に応じて、近赤外以上の波長成分に対応したピント位置調整の補正を行う。
【００２８】
以上、本発明の好ましい実施形態について説明したが、本発明はこれらの実施形態に限定されず、その要旨の範囲内で種々の変形及び変更が可能である。
【符号の説明】
【００２９】
１・・レンズ（撮影光学系、フォーカス手段）、２・・赤外光除去フィルタ（ＩＲＣＦ、フィルタ手段）、３・・撮像素子、１１・・輝度値算出部、１２・・制御手段、１３・・ＩＲＣＦ駆動手段（挿抜手段）、１４・・レンズ駆動手段（フォーカス手段）
【図１】
2014225828.tif 000003
【図２】
2014225828.tif 000004
【図３】
2014225828.tif 000005
【図４】
2014225828.tif 000006
【図５】
2014225828.tif 000007
【図６】
2014225828.tif 000008
【図７】
2014225828.tif 000009